(57)【要約】【課題】間仕切り扉の上下動の振幅が大きい間仕切り装置においても、上部振れ止め用案内レールに案内されるガイド部材を、案内レール内を安定して移動することができるようにした間仕切り装置を提供すること。【解決手段】建物の躯体開口部１に、上下に対向して、上部振れ止め用案内レール２と、下部荷重支持用走行レール（図示省略）とを敷設し、両レール２に沿って走行可能に間仕切り扉３を配設し、上部振れ止め用案内レール２に案内されるガイドローラ４を、間仕切り扉３の上端部に鉛直方向に配設した支持軸５に、回転及び支持軸５の軸方向に移動可能に配設するとともに、支持軸５をこの支持軸５に形成したねじ部５１によって間仕切り扉３の上端部に長さ調節可能に配設する。【選択図】図２
2015025289.tif 000002
【特許請求の範囲】
【請求項１】
建物の躯体開口部に、上下に対向して、上部振れ止め用案内レールと、下部荷重支持用走行レールとを敷設し、該レールに沿って走行可能に間仕切り扉を配設した間仕切り装置において、上部振れ止め用案内レールに案内されるガイド部材を、間仕切り扉の上端部に鉛直方向に配設した支持軸に、支持軸の軸方向に移動可能に配設するとともに、支持軸を該支持軸に形成したねじ部によって間仕切り扉の上端部に長さ調節可能に配設してなることを特徴とする間仕切り装置。
【請求項２】
支持軸に、上部振れ止め用案内レールと間仕切り扉との隙間を通して支持軸を回転操作するための操作部を形成してなることを特徴とする請求項１記載の間仕切り装置。
【発明の詳細な説明】
【技術分野】
【０００１】
本発明は、建物の躯体開口部に設置される間仕切り装置に関し、特に、建物の躯体の大きな開口部に設置するのに適した間仕切り装置に関するものである。
【背景技術】
【０００２】
従来、建物の躯体開口部に設置される間仕切り装置として、建物の躯体開口部に、上下に対向して、上部振れ止め用案内レールと、下部荷重支持用走行レールとを敷設し、該レールに沿って走行可能に間仕切り扉を配設した間仕切り装置が汎用されている（例えば、特許文献１参照。）。
【０００３】
ところで、この種の間仕切り装置、すなわち、間仕切り扉の荷重を下部荷重支持用走行レールによって支持する間仕切り装置において、上部振れ止め用案内レールに案内されるガイドローラ（又はガイド片）は、間仕切り扉の上端部に鉛直方向に配設した支持軸に対して、軸方向には固定して配設するようにされていた。
【０００４】
この間仕切り装置の場合、間仕切り扉の荷重が下部荷重支持用走行レールによって支持されるため、間仕切り扉の上下動の振幅が小さい場合には、間仕切り扉の上端部に鉛直方向に配設した支持軸に対して、軸方向に固定して配設されたガイドローラ（又はガイド片）は、上部振れ止め用案内レールの天面と下部フランジとによって規定された案内レール内を安定して移動し、間仕切り扉が走行する際の振れ止めを行うことができるようにされている。
【先行技術文献】
【特許文献】
【０００５】
【特許文献１】特開２００３−１２９７３１
【発明の概要】
【発明が解決しようとする課題】
【０００６】
しかしながら、上記従来の間仕切り装置を、間仕切り扉の上下動の振幅が大きい、建物の躯体の大きな開口部に設置する場合や、施工精度が悪く不陸の大きな開口部に設置する場合、さらには、経年変化によって建物の躯体開口部や間仕切り扉に歪みが生じた場合には、間仕切り扉の上端部に鉛直方向に配設した支持軸に対して、軸方向に固定して配設されたガイドローラ（又はガイド片）が、上部振れ止め用案内レールの天面又は下部フランジに接触し、閊えることによって、案内レール内を安定して移動することができず、間仕切り扉の走行に支障を来すことがあった。
【０００７】
本発明は、上記従来の間仕切り装置の有する問題点に鑑み、間仕切り扉の上下動の振幅が大きい間仕切り装置においても、上部振れ止め用案内レールに案内されるガイド部材を、案内レール内を安定して移動することができるようにした間仕切り装置を提供することを目的とする。
【課題を解決するための手段】
【０００８】
上記目的を達成するため、本発明の間仕切り装置は、建物の躯体開口部に、上下に対向して、上部振れ止め用案内レールと、下部荷重支持用走行レールとを敷設し、該レールに沿って走行可能に間仕切り扉を配設した間仕切り装置において、上部振れ止め用案内レールに案内されるガイド部材を、間仕切り扉の上端部に鉛直方向に配設した支持軸に、支持軸の軸方向に移動可能に配設するとともに、支持軸を該支持軸に形成したねじ部によって間仕切り扉の上端部に長さ調節可能に配設してなることを特徴とする。
【０００９】
この場合において、支持軸に、上部振れ止め用案内レールと間仕切り扉との隙間を通して支持軸を回転操作するための操作部を形成することができる。
【発明の効果】
【００１０】
本発明の間仕切り装置によれば、上部振れ止め用案内レールに案内されるガイド部材を、間仕切り扉の上端部に鉛直方向に配設した支持軸に、支持軸の軸方向に移動可能に配設するとともに、支持軸を該支持軸に形成したねじ部によって間仕切り扉の上端部に長さ調節可能に配設することにより、簡易な機構によって、上部振れ止め用案内レールに案内されるガイド部材の支持軸の軸方向の移動可能距離を大きく取ることができるとともに、ガイド部材の案内レール内における案内位置を一定させることができ、間仕切り扉の上下動の振幅が大きい間仕切り装置、具体的には、建物の躯体の大きな開口部に設置する場合や、施工精度が悪く不陸の大きな開口部に設置する場合、さらには、経年変化によって建物の躯体開口部や間仕切り扉に歪みが生じた場合においても、上部振れ止め用案内レールに案内されるガイド部材を、案内レール内を安定して移動させることができ、間仕切り扉３の走行安定性を向上することができる。
【００１１】
また、支持軸に、上部振れ止め用案内レールと間仕切り扉との隙間を通して支持軸を回転操作するための操作部を形成することにより、支持軸の長さ調節を、外部から容易に行うことができる。
【図面の簡単な説明】
【００１２】
【図１】本発明の間仕切り装置の一実施例を示す説明図で、（ａ）は正面図、（ｂ）は側面図である。
【図２】同間仕切り装置のガイドローラ及び支持軸の説明図で、（ａ）はガイドローラ及び支持軸の正面図、（ｂ）は上部振れ止め用案内レールに案内されるガイドローラの状態を示す説明図である。
【図３】本発明の間仕切り装置の変形実施例を示す説明図で、（ａ）は正面図、（ｂ）は側面図である。
【発明を実施するための形態】
【００１３】
以下、本発明の間仕切り装置の実施の形態を、図面に基づいて説明する。
【００１４】
図１〜図２に、本発明の間仕切り装置の一実施例を示す。
この間仕切り装置は、建物の躯体開口部１に、上下に対向して、上部振れ止め用案内レール２と、下部荷重支持用走行レール（図示省略）とを敷設し、両レールに沿って走行可能に間仕切り扉３を配設したもので、上部振れ止め用案内レール２に案内されるガイド部材としてのガイドローラ４を、間仕切り扉３の上端部に鉛直方向に配設した支持軸５に、回転及び支持軸５の軸方向に移動可能に配設するとともに、支持軸５をこの支持軸５に形成したねじ部５１によって間仕切り扉３の上端部に長さ調節可能に配設するようにしたものである。
【００１５】
ここで、上部振れ止め用案内レール２は、下部にガイドローラ４の支持軸５が挿通される隙間Ｄ２を設けて下部フランジ２１を対向するように設けた鉄、ステンレススチール、アルミニウム等の金属や合成樹脂製の溝形部材からなる。
【００１６】
下部荷重支持用走行レールは、間仕切り扉３の荷重を支持する公知の構造のものを広く使用することができ、例えば、間仕切り扉３に配設した戸車（図示省略）を介して、間仕切り扉３の荷重を支持する構造のものを好適に用いることができる。
【００１７】
ガイドローラ４は、ポリアセタール（ＰＯＭ）、ポリアミド等の合成樹脂製のもので、支持軸５に遊嵌することにより、回転及び支持軸５の軸方向に移動可能に配設される。
ガイドローラ４の直径は、案内レール２の対向する鉛直面２２間の距離より若干小さい、具体的には、鉛直面２２間の距離より、０．５〜１．０ｍｍ程度小さい寸法のものを用いるようにする。
これにより、図２（ｂ）に示すように、ガイドローラ４は、間仕切り扉３が両レールに沿って走行する際に、上部振れ止め用案内レール２内において、ガイドローラ４の下面が常に案内レール２の下部フランジ２１に支持された状態で、ガイドローラ４の外周面が案内レール２の鉛直面２２に接して回転するようにされている。
【００１８】
支持軸５は、支持軸５に形成したねじ部５１によって、間仕切り扉３の上端部に間仕切り扉３の長手方向に沿って配設した鉄、ステンレススチール、アルミニウム等の金属や合成樹脂製の溝形部材６に、長さ調節可能に配設するようにしている。
このため、支持軸５には、皿ビス等のねじ部材を好適に用いることができる。
また、支持軸５には、スパナ等の工具を用いて、上部振れ止め用案内レール２と間仕切り扉３との隙間Ｄを通して支持軸５を回転操作するための操作部５２を、支持軸５のねじ部５１の上方位置に、支持軸５を削って形成した平行な平面（２面又は４面）によって構成するようにしている。
このように、支持軸５に、支持軸５を回転操作するための操作部５２を形成することにより、支持軸５の長さ調節を、外部から容易に行うことができる。
【００１９】
支持軸５と、溝形部材６とは、溝形部材６に溶接等により固設したナット６１に、支持軸５のねじ部５１を螺合し、さらに、緩み止めナット６２を上部から締め付けることにより、固定するようにしている。
【００２０】
ところで、支持軸５を間仕切り扉３の上端部に長さ調節可能に配設するに当たり、溝形部材６に代えて、図３に示す変形実施例に示すように、間仕切り扉３の上端面に配設した鉄、ステンレススチール等の金属製の、支持軸５のねじ部５１が螺合する雌ねじ部７１を形成した板状部材７を用い、この板状部材７の雌ねじ部７１に支持軸５のねじ部５１を螺合し、さらに、緩み止めナット７２を上部から締め付けることにより、固定するようにすることもできる。
【００２１】
この間仕切り装置によれば、ガイドローラ４を支持軸５に遊嵌することにより、回転及び支持軸５の軸方向に移動可能に配設するとともに、支持軸５をこの支持軸５に形成したねじ部５１によって間仕切り扉３の上端部に長さ調節可能に配設するという極めて簡易な機構によって、上部振れ止め用案内レール２に案内されるガイドローラ４の支持軸５の軸方向の移動可能距離を大きく取ることができるとともに、ガイドローラ４の案内レール２内における案内位置を案内レール２の下部位置に一定させることができ、間仕切り扉３の上下動の振幅が大きい間仕切り装置、具体的には、建物の躯体の大きな開口部に設置する場合や、施工精度が悪く不陸の大きな開口部に設置する場合、さらには、経年変化によって建物の躯体開口部や間仕切り扉に歪みが生じた場合（特に、木製の場合）においても、上部振れ止め用案内レール２に案内されるガイドローラ４を、案内レール２内を安定して移動させることができ、間仕切り扉３の走行安定性を向上することができる。
また、ガイドローラ４の案内レール２内における案内位置を案内レール２の下部位置に一定させることができることから、案内レール２内における支持軸５が移動する部分を除くガイドローラ４の上方位置（図２（ｂ）において網掛けを施した部分）を、自由空間（例えば、案内レール２に他の部材を取り付けるためのビスを配設する場合の空間等）として利用することができる。
【００２２】
なお、本実施例において、上部振れ止め用案内レール２に案内されるガイド部材として、ガイドローラ４を用い、このガイドローラ４を、支持軸５に、回転及び支持軸５の軸方向に移動可能となるように配設するようにしたが、支持軸５に対して回転しない立方体又は直方体形状のガイド部材（図示省略）を用い、このガイド部材を、支持軸５に、非回転に（ただし、ガイド部材は、案内レール２の対向する鉛直面２２間の距離より若干小さく形成されるため、若干の揺動は可能である。）、かつ、支持軸５の軸方向に移動可能に配設するようにすることもできる。そして、この場合も、ガイドローラ４を用いた場合の上記作用効果と同様の作用効果を奏することができる。
【００２３】
以上、本発明の間仕切り装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の間仕切り装置は、間仕切り扉の上下動の振幅が大きい間仕切り装置においても、上部振れ止め用案内レールに案内されるガイド部材を、案内レール内を安定して移動することができることから、建物の躯体の大きな開口部に設置される間仕切り装置の用途に好適に用いることができるほか、間仕切り扉の上下動の振幅が大きくなりやすい間仕切り装置の用途に広く用いることができる。
【符号の説明】
【００２５】
１  躯体開口部
２  上部振れ止め用案内レール
３  間仕切り扉
４  ガイドローラ（ガイド部材）
５  支持軸
５１  ねじ部
５２  操作部
【図１】
2015025289.tif 000003
【図２】
2015025289.tif 000004
【図３】
2015025289.tif 000005